(57)【要約】【課題】  １個、または所望する複数個の錠剤を取出口より取出すことができる薄型の錠剤ケースを提供すること。【解決手段】  スライド部材を装着したケース本体と、取出口と案内孔を設けた蓋体とからなる錠剤ケースであって、ケース本体は、スライド部材を案内するガイド部材と、錠剤を保持する複数の保持板とを配設しており、スライド部材は、蓋板と、収納室側に挿入開口を設けた側壁と、先端に挿入開口に続く遮蔽板を具備し、蓋板の上面に、操作部を突設していることを特徴とする。【選択図】  図２
2008213865.tif 000002
【特許請求の範囲】
【請求項１】
スライド部材を装着したケース本体と、取出口と案内孔を設けた蓋体とからなる錠剤ケースであって、
ケース本体は、スライド部材を案内するガイド部材と、錠剤を保持する複数の保持板とを配設しており、
スライド部材は、蓋板と、収納室側に挿入開口を設けた側壁と、先端に挿入開口に続く遮蔽板を具備し、
蓋板の上面に、操作部を突設していることを特徴とする錠剤ケース。
【請求項２】
ガイド部材が、外方のガイドと、内方のガイド、および遮蔽板を案内する弧状ガイドとを具備していることを特徴とする請求項１記載の錠剤ケース。
【請求項３】
スライド部材の操作部の側壁面に、突起が設けられ、蓋体の案内孔に所望する錠剤に対応する複数個の凹部が設けられていることを特徴とする請求項１記載の錠剤ケース。
【発明の詳細な説明】
【技術分野】
【０００１】
本発明は、錠剤ケース、とくに所望する個数の錠剤を取出すことができる薄型の錠剤ケースに関するものである。
【背景技術】
【０００２】
ケース本体に、錠剤ガイド部材と錠剤保持部材を内装し、取出口を設けた錠剤取出し蓋を装着し、錠剤を１個ずつ取出せるようにした錠剤ケースは、従来より知られている（例えば、特許文献１参照）。
また、錠剤容器として、定量の錠剤を計量して計量皿に保持し、容器の蓋体を開蓋し、一定量の錠剤を取出すようにした錠剤容器も知られている（例えば、特許文献２参照）。
さらに、容器の広巾の側皿に取出口を形成するようにした薄肉の錠剤容器も、従来より知られている（例えば、特許文献３参照）。
【特許文献１】特開平８−１１９３４９号公報
【特許文献２】特開平１１−２０８７０２号公報
【特許文献３】特開２００４−５１２０７号公報
【発明の開示】
【発明が解決しようとする課題】
【０００３】
しかしながら、上記特許文献１、２記載の錠剤ケースは、ケースから１個、または複数個の所望する個数の錠剤を計量して取出すことはできないという問題があり、また、円形容器であるので携帯に不便であった。
特許文献３記載の錠剤ケースは、携帯に便利で、取出口を開閉して錠剤を取出すことはできるが、所望する個数の錠剤を計量して取出すことはできないという問題があった。
【０００４】
本発明は、上記の問題点を解決することを課題とし、１個、または所望する複数個の錠剤を取出口より取出すことができる薄型の錠剤ケースを提供することを目的とする。
【課題を解決するための手段】
【０００５】
本発明は、上記の課題を解決するため、錠剤ケースとして、スライド部材を装着したケース本体と、取出口と案内孔を設けた蓋体とからなる錠剤ケースであって、ケース本体は、スライド部材を案内するガイド部材と、錠剤を保持する複数の保持板とを配設しており、スライド部材は、蓋板と、収納室側に挿入開口を設けた側壁と、先端に挿入開口に続く遮蔽板を具備し、蓋板の上面に、操作部を突設していることを特徴とする構成を採用する。
【０００６】
ガイド部材の実施例として、ガイド部材が、外方のガイドと、内方のガイド、および遮蔽板を案内する弧状ガイドとを具備していることを特徴とする。
【０００７】
スライド部材の実施例として、スライド部材の操作部の側壁面に、突起が設けられ、蓋体の案内孔に所望する錠剤に対応する複数個の凹部が設けられていることを特徴とする構成を採用する。
【発明の効果】
【０００８】
錠剤ケースを、スライド部材を装着したケース本体と、取出口を設けた蓋体によって構成し、ケース本体に、複数の錠剤を保持する保持部と、スライド部材のガイド部材を設け、スライド部材と蓋板と、挿入開口を設けた側壁と遮蔽板を設けているので、スライド部材が、所定位置で、蓋板で取出口を閉じるとともに、収納室から挿入開口を通って保持部で複数の錠剤を保持させ、スライド部材を移動させることによって、移動に応じて取出口を開き、取出口を下方に向けることによって所望する個数の錠剤を取出すことができるようになった。
【発明を実施するための最良の形態】
【０００９】
次に、本発明錠剤ケースの実施形態について、図面を参照して説明する。
図１〜４において、Ａはケース本体Ａ１と蓋体Ａ２とからなる錠剤ケース、Ｂはスライド部材である。
【００１０】
ケース本体Ａ１は、底壁１と側周壁２とからなり、側周壁２は、上下左右の側周壁２ａ、２ｂ、２ｃ、２ｄとから構成されている。
蓋体Ａ２は、頂壁３と、ケース本体Ａ１の側周壁２に係合する側周壁４とから構成されている。
ケース本体Ａ１と蓋体Ａ２は、蝶番Ａ３によって連結されており、ケース本体Ａ１の底壁１の所定の位置には、ボス５が立設され、蓋体Ａ２には、ボス５に嵌合する軸ピンが垂設され、ケース本体Ａ１と蓋体Ａ２は、一体化されている。
【００１１】
ケース本体Ａ１の底壁１には、スライド部材Ｂを案内するガイド６と、錠剤Ｔをガイドする傾斜板７を連設したガイド８が立設されており、上方には、スライド部材Ｂの後述する遮蔽板を案内する弧状ガイド９が立設されている。
【００１２】
また、底壁１には、ガイド６、８の上方部の所定位置に、錠剤Ｔを位置決め保持する保持板１０ａ、１０ｂ、１０ｃ、１０ｄが立設され、錠剤Ｔの保持部１０が形成されている。
保持板１０ａの右端からは、弧状ガイド９に平行して案内ガイド１１が立設されており、保持板１０ｄは、ガイド８の上端にほぼ一致している。
保持板１０ｂ、１０ｃの右側には、錠剤Ｔの導入板１２ａ、１２ｂが立設されている。
そして、底壁１と、側周壁２ａ、２ｂ、２ｄと傾斜板７、ガイド８と弧状ガイド９を結ぶ線によって、錠剤Ｔの収納室ａが形成される。
【００１３】
蓋体Ａ２には、保持板１０ａと保持板１０ｄとの間隔に対応する長円状の取出口１５が穿設されており、その下方には、側端の所定位置に、複数の凹部１６ａ、１６ｂ、１６ｃ、１６ｄを設けた案内孔１７が穿設されている。
【００１４】
図４に示すように、スライド部材Ｂは、蓋板２０と、蓋板２０の外縁から垂設された左側と下側の側壁２１ａ、２１ｂ、および上端との間に挿入開口２２を設けた側壁２１ｃ、および蓋板２０の上端右側に連設された遮蔽板２３とから構成されている。
蓋板２０の下方部上面には、操作部２４が突設され、該操作部２４の上面には、左右に延びるローレット２５が設けられ、側面には、案内孔１７に設けた凹部１６に係合する突起２６が設けられている。
操作部２４の下方には、蓋板２０下面から樹脂ばね２７が垂設されている。
【００１５】
本発明の錠剤容器の組立は、ケース本体Ａ１に錠剤Ｔを収納し、スライド部材Ｂをガイド６、８の間に装着し、遮蔽板２３を弧状ガイド９と案内ガイド１１との間に挿入し、蓋板２０の先端が、保持板１０ａを越え、遮蔽板２３の根本部が弧状ガイド９の下端に達するまで押込み、蓋板２０が各保持板１０を覆うようにする。
【００１６】
次に、蓋体Ａ２を、ケース本体Ａ１に被蓋する。
その際、操作部２４は、案内孔１７に嵌挿され、案内孔１７の上端に位置している。
【００１７】
次に、本発明錠剤ケースの使用態様と、作用効果について説明する。
図５に示すように、前記組立状態で、錠剤ケースを左上側を下にして傾けると、錠剤Ｔは、弧状ガイド９、導入板１２ａ、１２ｂ等の間を通じて保持板１０ａ、１０ｂ、１０ｃ、１０ｄの間に導入される。
【００１８】
そして、蓋板２０は、錠剤Ｔを覆うとともに、取出口１５を閉鎖する。
次いで、操作部２４の突起２６を、蓋体Ａ２の案内孔１７の次の凹部１６ｂに係合されるまで、スライド部材Ｂを下方に引き下げると、蓋板２０の先端が保持板１０ｂに位置するまで下がり、錠剤１個分の取出口１５を開くとともに、遮蔽板２３が引き下げられ、保持板１０ａと保持板１０ｂとの間と、ケース本体Ａ１内部とを遮断する。  
【００１９】
また、操作部２４の突起２６を案内孔１７の次の凹部１６ｃに係合させるまで、スライド部材Ｂを引下げると、錠剤２個分の取出口１５を開放するとともに、遮蔽板２３が保持板１０ｃまでケース本体内部を遮断する。
さらに、突起２６を凹部１６ｄに係合させるまでスライド部材Ｂを引下げると、３個分の取出口１５を開放するとともに、遮蔽板２３が保持板１０ｄまでのケース本体Ａ１内部を遮断する。
そして、錠剤ケースＡを反転して取出口１５を下方に向けると、１粒、または２粒、３粒の錠剤Ｔを取出すことができる。
【００２０】
前記実施形態では、ケース本体Ａ１と蓋体Ａ２を蝶番Ａ３によって連結しているが、それぞれ別個に成形し、一体化するようにしてもよい。
また、取出口１５を蓋体Ａ２の上面に設けたが、錠剤ケースＡの側面に設けるようにしてもよい。
【００２１】
前記実施形態では、１〜３個の錠剤を取出せるように、ケース本体に四つの保持板を設け、スライド部材の移動位置を３個所とし、取出口の長さも錠剤３個分の長さとしたが、保持板の数、スライド部材の移動位置、取出口の長さ等は、実施例に限定されず、所望する錠剤の数に応じて設定することができる。
【００２２】
また、前記実施形態では、スライド部材の操作部２４の内方側に突起２６を設け、案内孔１７の内方側に凹部を設けたが、突起２６と凹部１６は、それぞれの外方側に設けてもよく、また、操作部２４に凹部を設け、案内孔１７に突起を設けるようにしてもよい。
【産業上の利用可能性】
【００２３】
本発明の錠剤ケースは、１個、または所望する複数の錠剤を取出すことができ、錠剤として、薬剤、食物、その他の扁平粒状物を利用でき、収納ケースとして、広く利用することができる。
【図面の簡単な説明】
【００２４】
【図１】本発明錠剤ケースの斜視図である。
【図２】錠剤ケースの説明図で、（ａ）は上面図、（ｂ）は蓋体を開いた本体ケースの平面図である。
【図３】図１（ｂ）のＡ−Ａ線における断面図である。
【図４】スライド部材の説明図で、（ａ）は上面図、（ｂ）は側面図、（ｃ）は斜視図である。
【図５】スライド部材の引下げ時の説明図である。
【符号の説明】
【００２５】
Ａ          錠剤ケース
Ａ１        ケース本体
Ａ２        蓋体
Ａ３        蝶番
Ｂ          スライド部材
ａ          収納室
Ｔ          錠剤
１          底壁
２、２ａ、２ｂ、２ｃ、２ｄ、４  側周壁
３          頂壁
５          ボス
６、８      ガイド
７          傾斜板
９          弧状ガイド
１０        保持部
１０ａ、１０ｂ、１０ｃ、１０ｄ  保持板
１１        案内ガイド
１２ａ、１２ｂ  導入板
１５        取出口
１６、１６ａ、１６ｂ、１６ｃ、１６ｄ  凹部
１７        案内孔
２０        蓋板
２１ａ、２１ｂ、２１ｃ  側壁
２２        挿入開口
２３        遮蔽板
２４        操作部
２５        ローレット
２６        突起
２７        樹脂ばね
【図１】
2008213865.tif 000003
【図２】
2008213865.tif 000004
【図３】
2008213865.tif 000005
【図４】
2008213865.tif 000006
【図５】
2008213865.tif 000007